(57)【要約】【解決手段】  洗浄液は閉回路からなる洗浄液循環経路内で循環されて各部の洗浄が行われる。除水ポンプＵＦＰは洗浄液循環経路を形成しない状態で作動されて、所定量の洗浄液を、上記洗浄液循環経路を構成する透析液回収通路２４、除水通路３５及び排液通路２９からなる洗浄液導入区間に導入する。次に除水ポンプは、洗浄液循環経路を形成した状態で逆作動されて、洗浄液導入区間に導入された洗浄液を該洗浄液導入区間よりも透析液供給通路側の洗浄液循環経路に逆流させて押出す。さらに除水ポンプは洗浄液循環経路を形成しない状態で作動されて、新たな洗浄液を上記洗浄液導入区間に追加導入する。【効果】  洗浄液導入区間に導入した洗浄液を該洗浄液導入区間から押出すことにより、洗浄液導入区間に洗浄液を追加導入することができるので、洗浄液導入区間の長さを長くすることなく、洗浄液循環経路内に必要量の洗浄液を導入することができる。【選択図】  図６
2015159994.tif 000002
【特許請求の範囲】
【請求項１】
透析液供給通路を介して所定量の新鮮な透析液を透析器に供給する透析液供給手段と、該透析液供給手段に新鮮な透析液を供給する給液回路と、上記透析器を通過した使用済み透析液を透析液回収通路を介して上記所定量と同量回収する透析液回収手段と、該透析液回収手段で回収された使用済み透析液を外部に排出する排液通路と、上記透析液回収通路と排液通路とを接続する除水通路に設けられ、透析液回収通路を流通する使用済み透析液を所要の除水量だけ排液通路に排出する除水手段と、上記透析液回収通路に第１洗浄液供給通路を介して洗浄液を供給する洗浄液供給手段と、上記排液通路と給液回路とを連通して、洗浄時に洗浄液を循環させるための閉回路からなる洗浄液循環経路を形成する循環通路とを備え、
洗浄開始時に、上記洗浄液循環経路を形成しない状態で上記除水手段を作動させて、上記洗浄液供給手段から所定量の洗浄液を、上記洗浄液循環経路を構成する上記透析液回収通路、除水通路及び排液通路からなる洗浄液導入区間に導入するようにした血液透析装置の洗浄装置において、
上記除水手段は、洗浄開始時に、上記洗浄液循環経路を形成しない状態で作動されて、上記洗浄液供給手段から所定量の洗浄液を上記洗浄液導入区間に導入する第１洗浄液導入動作と、上記洗浄液循環経路を形成した状態で逆作動されて、上記第１洗浄液導入動作によって洗浄液導入区間に導入された洗浄液を、該洗浄液導入区間よりも透析液供給通路側の洗浄液循環経路に逆流させる洗浄液逆流動作と、さらに上記洗浄液循環経路を形成しない状態で作動されて、上記洗浄液供給手段から追加の洗浄液を上記洗浄液導入区間に追加導入する第２洗浄液導入動作とを行うことを特徴とする血液透析装置の洗浄装置。
【請求項２】
上記血液透析装置の洗浄装置は、隔壁によって内部が透析液供給室と透析液回収室との２室に区画形成された透析液チャンバを備え、一方の透析液供給室が上記透析液供給手段を、他方の透析液回収室が上記透析液回収手段をそれぞれ構成し、一方の透析液供給室の容積減少により該透析液供給室から新鮮な透析液が透析器に供給されるのと同時に、これに連動した他方の透析液回収室の容積増大により上記透析器を通過した使用済み透析液が回収されるようになっており、
上記洗浄液供給手段は、上記第１洗浄液供給通路に連通させた第２洗浄液供給通路を介して上記給液通路に洗浄液を供給可能となっており、かつ第１洗浄液供給通路と第２洗浄液供給通路とは、洗浄時には洗浄液を循環させるための閉回路からなる洗浄液循環経路を形成し、洗浄開始時には、上記洗浄液循環経路を形成しない状態で、上記第２洗浄液供給通路からの洗浄液を給液通路を介して上記透析液供給室に該透析液供給室の容積分だけ計量されて導入されると同時に、上記透析液回収室内の液体が排液通路から外部に排出されるようになっていることを特徴とする請求項１に記載の血液透析装置の洗浄装置。
【請求項３】
上記除水手段は、上記除水通路に設けられた正逆転可能な除水ポンプであって、当該除水ポンプを正転させることで上記各洗浄液導入動作を行なわせ、当該除水ポンプを逆転させることで上記洗浄液逆流動作を行わせることを特徴とする請求項１または請求項２に記載の血液透析装置の洗浄装置。
【請求項４】
透析液供給通路を介して所定量の新鮮な透析液を透析器に供給する透析液供給手段と、該透析液供給手段に新鮮な透析液を供給する給液回路と、上記透析器を通過した使用済み透析液を透析液回収通路を介して上記所定量と同量回収する透析液回収手段と、該透析液回収手段で回収された使用済み透析液を外部に排出する排液通路と、上記透析液回収通路と排液通路とを接続する除水通路に設けられ、透析液回収通路を流通する使用済み透析液を所要の除水量だけ排液通路に排出する除水手段と、上記透析液回収通路に第１洗浄液供給通路を介して洗浄液を供給する洗浄液供給手段と、上記排液通路と給液回路とを連通して、洗浄時に洗浄液を循環させるための閉回路からなる洗浄液循環経路を形成する循環通路とを備え、
洗浄開始時に、上記洗浄液循環経路を形成しない状態で上記除水手段を作動させて、上記洗浄液供給手段から所定量の洗浄液を、上記洗浄液循環経路を構成する上記透析液回収通路、除水通路及び排液通路からなる洗浄液導入区間に導入するようにした血液透析装置の洗浄方法において、
洗浄開始時に、上記洗浄液循環経路を形成しない状態で上記洗浄液供給手段から所定量の洗浄液を上記洗浄液導入区間に導入する第１洗浄液導入動作と、上記洗浄液循環経路を形成した状態で上記第１洗浄液導入動作によって洗浄液導入区間に導入された洗浄液を、該洗浄液導入区間よりも透析液供給通路側の洗浄液循環経路に逆流させる洗浄液逆流動作と、上記洗浄液循環経路を形成しない状態で上記洗浄液供給手段から追加の洗浄液を上記洗浄液導入区間に追加導入する第２洗浄液導入動作とを順次行うことを特徴とする血液透析装置の洗浄方法。
【発明の詳細な説明】
【技術分野】
【０００１】
本発明は血液透析装置の洗浄装置と洗浄方法とに関し、より詳しくは、洗浄開始時に、所定量の洗浄液を血液透析装置の透析液回路内に導入することにより、所定の濃度の洗浄液が得られるようにした血液透析装置の洗浄装置と洗浄方法とに関する。
【背景技術】
【０００２】
従来、血液透析装置の洗浄装置として、透析液供給通路を介して所定量の新鮮な透析液を透析器に供給する透析液供給手段と、該透析液供給手段に新鮮な透析液を供給する給液回路と、上記透析器を通過した使用済み透析液を透析液回収通路を介して上記所定量と同量回収する透析液回収手段と、該透析液回収手段で回収された使用済み透析液を外部に排出する排液通路と、上記透析液回収通路と排液通路とを接続する除水通路に設けられ、透析液回収通路を流通する使用済み透析液を所要の除水量だけ排液通路に排出する除水手段と、上記透析液回収通路に第１洗浄液供給通路を介して洗浄液を供給する洗浄液供給手段と、上記排液通路と給液回路とを連通して、洗浄時に洗浄液を循環させるための閉回路からなる洗浄液循環経路を形成する循環通路とを備え、
洗浄開始時に、上記洗浄液循環経路を形成しない状態で上記除水手段を作動させて、上記洗浄液供給手段から所定量の洗浄液を、上記洗浄液循環経路を構成する上記透析液回収通路、除水通路及び排液通路からなる洗浄液導入区間に導入するようにしたものが知られている（特許文献１）。
上記除水手段は、透析液回収通路を流通する使用済み透析液を所要の除水量だけ計量しながら排液通路に排出する機能を有しているので、該除水手段を用いて洗浄液を上記洗浄液導入区間に導入すれば、洗浄液導入区間に導入した洗浄液の導入量を管理することができ、したがって導入した洗浄液の濃度を所定の濃度に管理することができる。
【先行技術文献】
【特許文献】
【０００３】
【特許文献１】特許第４４００７９０号公報
【発明の概要】
【発明が解決しようとする課題】
【０００４】
ところで、上記洗浄液循環経路を形成した状態で上記除水手段を作動させても、閉回路である洗浄液循環経路内で液体が流動するだけで外部の洗浄液供給手段から洗浄液循環経路内に洗浄液を導入することができないので、外部から洗浄液循環経路内に洗浄液を導入する際には、洗浄液循環経路を形成しない状態で上記除水手段を作動させる必要がある。
すなわち上記洗浄液は、上記洗浄液循環経路を形成しない状態で上記除水手段を作動させることにより、上記透析液回収通路、除水通路及び排液通路から構成される洗浄液導入区間に導入することができるが、それ以外の洗浄液循環経路、例えば上記排液通路と給液通路とを連通する循環通路には導入することはできない。
その結果、導入できる洗浄液の最大量は上記洗浄液導入区間の容積に依存することになり、必要な量の洗浄液を導入するには洗浄液導入区間の容積を必要な洗浄液の量以上に設定する必要がある。このため従来は、排液通路における洗浄液導入区間の容積を大きくすることによって、つまり除水通路と排液通路との接続点と、排液通路と循環通路との接続点との間における排液通路の長さを長くすることによって洗浄液導入区間の容積を増大させており、その分、排液通路の長さが長くなっていた。
本発明はそのような事情に鑑み、上記洗浄液導入区間の容積を必要な洗浄液の量以上に増大させることなく、洗浄液循環経路内に洗浄液導入区間の容積以上の洗浄液を導入できるようにした血液透析装置の洗浄装置と洗浄方法とを提供するものである。
【課題を解決するための手段】
【０００５】
すなわち請求項１に係る本発明の血液透析装置の洗浄装置は、透析液供給通路を介して所定量の新鮮な透析液を透析器に供給する透析液供給手段と、該透析液供給手段に新鮮な透析液を供給する給液回路と、上記透析器を通過した使用済み透析液を透析液回収通路を介して上記所定量と同量回収する透析液回収手段と、該透析液回収手段で回収された使用済み透析液を外部に排出する排液通路と、上記透析液回収通路と排液通路とを接続する除水通路に設けられ、透析液回収通路を流通する使用済み透析液を所要の除水量だけ排液通路に排出する除水手段と、上記透析液回収通路に第１洗浄液供給通路を介して洗浄液を供給する洗浄液供給手段と、上記排液通路と給液回路とを連通して、洗浄時に洗浄液を循環させるための閉回路からなる洗浄液循環経路を形成する循環通路とを備え、
洗浄開始時に、上記洗浄液循環経路を形成しない状態で上記除水手段を作動させて、上記洗浄液供給手段から所定量の洗浄液を、上記洗浄液循環経路を構成する上記透析液回収通路、除水通路及び排液通路からなる洗浄液導入区間に導入するようにした血液透析装置の洗浄装置において、
上記除水手段は、洗浄開始時に、上記洗浄液循環経路を形成しない状態で作動されて、上記洗浄液供給手段から所定量の洗浄液を上記洗浄液導入区間に導入する第１洗浄液導入動作と、上記洗浄液循環経路を形成した状態で逆作動されて、上記第１洗浄液導入動作によって洗浄液導入区間に導入された洗浄液を、該洗浄液導入区間よりも透析液供給通路側の洗浄液循環経路に逆流させる洗浄液逆流動作と、さらに上記洗浄液循環経路を形成しない状態で作動されて、上記洗浄液供給手段から追加の洗浄液を上記洗浄液導入区間に追加導入する第２洗浄液導入動作とを行うことを特徴とするものである。
また請求項４に係る本発明の血液透析装置の洗浄方法は、透析液供給通路を介して所定量の新鮮な透析液を透析器に供給する透析液供給手段と、該透析液供給手段に新鮮な透析液を供給する給液回路と、上記透析器を通過した使用済み透析液を透析液回収通路を介して上記所定量と同量回収する透析液回収手段と、該透析液回収手段で回収された使用済み透析液を外部に排出する排液通路と、上記透析液回収通路と排液通路とを接続する除水通路に設けられ、透析液回収通路を流通する使用済み透析液を所要の除水量だけ排液通路に排出する除水手段と、上記透析液回収通路に第１洗浄液供給通路を介して洗浄液を供給する洗浄液供給手段と、上記排液通路と給液回路とを連通して、洗浄時に洗浄液を循環させるための閉回路からなる洗浄液循環経路を形成する循環通路とを備え、
洗浄開始時に、上記洗浄液循環経路を形成しない状態で上記除水手段を作動させて、上記洗浄液供給手段から所定量の洗浄液を、上記洗浄液循環経路を構成する上記透析液回収通路、除水通路及び排液通路からなる洗浄液導入区間に導入するようにした血液透析装置の洗浄方法において、
洗浄開始時に、上記洗浄液循環経路を形成しない状態で上記洗浄液供給手段から所定量の洗浄液を上記洗浄液導入区間に導入する第１洗浄液導入動作と、上記洗浄液循環経路を形成した状態で上記第１洗浄液導入動作によって洗浄液導入区間に導入された洗浄液を、該洗浄液導入区間よりも透析液供給通路側の洗浄液循環経路に逆流させる洗浄液逆流動作と、上記洗浄液循環経路を形成しない状態で上記洗浄液供給手段から追加の洗浄液を上記洗浄液導入区間に追加導入する第２洗浄液導入動作とを順次行うことを特徴とするものである。
【発明の効果】
【０００６】
本発明の血液透析装置の洗浄装置と洗浄方法とによれば、洗浄開始時には、先ず第１洗浄液導入動作により、上記洗浄液循環経路を形成しない状態で洗浄液供給手段から所定量の洗浄液を上記洗浄液導入区間に導入することができる。
次に、洗浄液逆流動作により、上記洗浄液循環経路を形成した状態で上記第１洗浄液導入動作によって洗浄液導入区間に導入された洗浄液を、該洗浄液導入区間よりも透析液供給通路側の洗浄液循環経路に逆流させることができる。すなわち洗浄液循環経路を形成した状態では、該洗浄液循環経路の液体は洗浄液循環経路内を流通するだけなので、該洗浄液循環経路の液体を逆流させることにより、洗浄液導入区間に導入された洗浄液の一部または全部を該洗浄液導入区間よりも透析液供給通路側の洗浄液循環経路に押出すことができる。換言すれば、洗浄液導入区間を構成する排液通路に接続した循環通路側から、該循環通路内の洗浄液ではない浄水を洗浄液導入区間に導入することができる。
そしてこの後、第２洗浄液導入動作により、上記洗浄液循環経路を形成しない状態で上記洗浄液供給手段から追加の洗浄液を上記洗浄液導入区間に追加導入すれば、洗浄液導入区間の容積を増大させることなく、洗浄液循環経路内に洗浄液導入区間の容積以上の量の洗浄液を導入することができる。
したがって、排液通路の長さを長くすることなくその容積以上の洗浄液を導入することができるので、従来に比較して血液透析装置の回路の全長を短縮して小型に製造することが可能となる。
【図面の簡単な説明】
【０００７】
【図１】本発明の位置実施例を示す回路図。
【図２】透析液チャンバ２１、２２の透析液供給室２１ａ、２２ａを利用して洗浄液を洗浄液循環経路内に導入している状態を示す説明図。
【図３】透析液供給室２１ａ、２２ａの洗浄液を透析液回収室２１ｂ、２２ｂ側に移動させている状態を示す説明図。
【図４】透析液チャンバ２１、２２のうちの一方の透析液供給室２１ａを利用して洗浄液を洗浄液循環経路内に導入している状態を示す説明図。
【図５】除水ポンプＵＦＰを利用して洗浄液を洗浄液循環経路内の洗浄液導入区間に導入している状態を示す説明図。
【図６】除水ポンプＵＦＰを逆作動させて洗浄液導入区間に導入した洗浄液を該洗浄液導入区間よりも透析液供給通路側の洗浄液循環経路に押出している状態を示す説明図。
【発明を実施するための形態】
【０００８】
以下図示実施例について本発明を説明すると、図１は透析治療を行う血液透析装置１の回路を示し、上記血液透析装置１は図示しない制御手段によって制御されるようになっている。
上記血液透析装置１は、拡散、限外ろ過、浸透圧により血液と透析液との間で透析を行う透析器２と、該透析器２に接続された血液回路３と、透析器２に接続された透析液回路４とを備えている。
また本実施例の血液透析装置１は透析液を調製可能となっており、透析液の原液であるＡ液およびＢ液を貯溜するＡ液タンク５ＡおよびＢ液タンク５Ｂを備えている。
【０００９】
上記血液回路３は、患者の血管に接続されて上記透析器２に血液を供給する動脈側通路１１と、透析器２から患者に血液を戻す静脈側通路１２とから構成され、これら通路は可撓性を有する樹脂製（例えば、ポリ塩化ビニル）のチューブで構成されている。また動脈側通路１１には血液を送液する血液ポンプ１３が設けられている。
【００１０】
透析液回路４は、所定量の新鮮な透析液を上記透析器２に供給する透析液供給手段１５と、上記透析器２を通過した使用済み透析液を上記所定量と同量回収する透析液回収手段１６とを備えている。
本実施例では、上記透析液供給手段１５と透析液回収手段１６は２つの同形の第１透析液チャンバ２１と第２透析液チャンバ２２とを備えており、各チャンバ２１、２２内はダイアフラムやピストンなどの隔壁によって、新鮮な透析液を供給するための透析液供給室２１ａ、２２ａと、使用済みの透析液を回収するための透析液回収室２１ｂ、２２ｂとに区画されている。そして上記透析液供給室２１ａ、２２ａは透析液供給手段１５の一部を、透析液回収室２１ｂ、２２ｂは透析液回収手段１６の一部をそれぞれ構成している。
上記２つの透析液チャンバ２１、２２の供給室２１ａ、２２ａと透析器２との間は新鮮な透析液を流通させる透析液供給通路２３で接続してあり、透析器２と２つの透析液チャンバ２１、２２の透析液回収室２１ｂ、２２ｂとの間は使用済みの透析液を流通させる透析液回収通路２４で接続してある。
【００１１】
上記２つの透析液チャンバ２１、２２の供給室２１ａ、２２ａには給液回路２５が接続されており、該給液回路２５は、浄水を供給する図示しない浄水供給手段に連通された水供給通路２６と、それぞれ上記Ａ液タンク５ＡとＢ液タンク５Ｂとに連通された透析液原液通路２７Ａ、２７Ｂとを備えている。そして該給液回路２５の下流側は２方向に分岐して上記供給室２１ａ、２２ａに接続されており、分岐した通路にはそれぞれ制御手段の制御によって開閉される給液弁Ｖ５ａ、Ｖ７ａが設けられている。
これにより、上記供給室２１ａ、２２ａの内部で水と透析液の原液とを混合させて透析液を調製することができるようになっている。
一方、上記透析液回収室２１ｂ、２２ｂには、図示しない排液タンク等に使用済み透析液を排出させる透析液廃液通路２９が接続され、上記透析液廃液通路２９は、その上流部分が２方向に分岐して各透析液回収室２１ｂ、２２ｂに接続され、当該分岐部分にはそれぞれ制御手段の制御によって開閉される排液弁Ｖ６ｂ、Ｖ８ｂが設けられている。
【００１２】
上記透析液供給通路２３の上流部分は、２方向に分岐してそれぞれ上記第１、第２透析液チャンバ２１、２２の供給室２１ａ、２２ａに接続されており、各分岐部分にはそれぞれ制御手段の制御によって開閉される供給弁Ｖ５ｂ、Ｖ７ｂが設けられている。
また透析液供給通路２３の下流部分はコネクタ２３ａを介して上記透析器２に接続可能となっており、透析液回路４を洗浄する際には透析器２から離脱されるようになっている。
さらに透析液供給通路２３には、透析液の有害成分を除去するカットフィルタＣＦと、上記制御手段の制御によって開閉される開閉弁Ｖ９ｂとが設けられ、また透析液回収通路２４にも上記制御手段の制御によって開閉される開閉弁Ｖ１９が設けられている。
【００１３】
上記カットフィルタＣＦの一次側には、上記透析液供給通路２３と上記開閉弁Ｖ１９の下流側の透析液回収通路２４とを連通させるバイパス通路３１が接続され、該バイパス通路３１には上記制御手段の制御によって開閉される開閉弁Ｖ９ａが設けられている。
透析治療中、上記開閉弁Ｖ９ｂ、Ｖ１９は開放されるとともに上記開閉弁Ｖ９ａは閉鎖されているが、例えば図示しない濃度センサによって濃度の不良が検出された場合には、上記開閉弁Ｖ９ｂ、Ｖ１９を閉鎖して開閉弁Ｖ９ａを開放することにより、不良透析液を透析器２を通過させずに、バイパス通路３１を介して透析液回収通路２４へと送液することが可能となっている。
【００１４】
上記透析液回収通路２４の下流部分は２方向に分岐してそれぞれ上記第１、第２透析液チャンバ２１、２２の透析液回収室２１ｂ、２２ｂに接続され、この分岐部分にはそれぞれ制御手段の制御によって開閉される回収弁Ｖ６ａ、Ｖ８ａが設けられている。
一方、透析液回収通路２４の上流部分はコネクタ２４ａを介して上記透析器２に接続可能となっており、透析液回路４を洗浄する際には透析器２から離脱されるとともに、上記透析液供給通路２３のコネクタ２３ａと接続されるようになっている。
また透析液回収通路２４には透析液を送液する透析液ポンプＰ２と除気槽ＡＳ２とが直列に設けられており、これらに平行に分岐通路３２が設けられてここにニードル弁ＮＶ５と漏血センサＢＬＤとが直列に配置されている。
【００１５】
血液透析が行われる際には、上記第１、第２透析液チャンバ２１、２２のいずれか一方の透析液供給室、例えば第１透析液チャンバ２１の透析液供給室２１ａで新鮮な透析液が調製される。この際には、開閉弁Ｖ５５、Ｖ１が開かれており、また給液弁Ｖ５ｂが閉じられるとともに給液弁Ｖ５ａが開かれている。そしてこの状態でポンプＰ１が起動されて浄水が水供給通路２６を介して透析液供給室２１ａに供給される。
また、開閉弁Ｖ４３が開かれるとともにポンプＰ３が起動されてＡ液タンク５Ａ内のＡ液が原液通路２７Ａを介して上記透析液供給室２１ａに供給され、さらに開閉弁Ｖ２９が開かれるとともにポンプＰ４が起動されてＢ液タンク５Ｂ内のＢ液が原液通路２７Ｂを介して上記透析液供給室２１ａに供給される。
上記各ポンプＰ１、Ｐ３、Ｐ４のそれぞれの作動のタイミングは制御手段によって制御され、それによって供給室２１ａの内部で水と透析液の原液とが混合されて新鮮な透析液が調製されるようになる。
この際には、排液弁Ｖ６ｂが開放されるとともに排液弁Ｖ６ａが閉鎖されており、上記各ポンプＰ１、Ｐ３、Ｐ４が作動されて供給室２１ａの内部に液体が導入されるとその導入に伴って第１透析液チャンバ２１内を区画する隔壁が移動され、これにより既に透析液回収室２１ｂ内に回収されていた使用済みの透析液が排液通路２９を介して同量だけ外部に排出されるようになる。
【００１６】
上記第１透析液チャンバ２１によって透析液が調製されている際には、第２透析液チャンバ２２の供給室２２ａの透析液は、透析液回収通路２４に設けた透析液ポンプＰ２の起動により、透析液供給通路２３を介して透析器２に供給されている。この際には、弁Ｖ７ｂ、Ｖ９ｂ、Ｖ１９及びＶ８ａは開放されており、また弁Ｖ７ａ、Ｖ９ａ及びＶ８ｂは閉鎖されている。
そして上記供給室２２ａの容積減少により該供給室２２ａから新鮮な透析液が上記透析器２に供給されるのと同時に、これに連動した他方の透析液回収室２２ｂの容積増大により、上記透析器２に供給されたのと同量の使用済み透析液が回収されるようになっている。
この際、透析液回収通路２４を流通する使用済み透析液の一部は分岐通路３２のニードル弁ＮＶ５と漏血センサＢＬＤとを流通し、漏血センサＢＬＤによって透析液中に血液が漏洩したか否かが検出されるようになっている。
【００１７】
さらに、上記透析液回収通路２４の下流部分と排液通路２９との間には両者を接続する除水通路３５を設けてあり、この除水通路３５に、透析液回収通路２４を流通する使用済み透析液を所要の除水量だけ排液通路２９に排出する除水手段としての除水ポンプＵＦＰを設けてある。この除水ポンプＵＦＰによって、透析中に、上記除水量に相当する量の老廃物を血液中から排出させることが可能となっている。
【００１８】
次に、上記透析液回路４を洗浄するために、上記排液通路２９と給液回路２５を構成する水供給通路２６との間を循環通路３８で接続してあり、この循環通路３８を介して閉回路となる第１洗浄液循環経路を構成することにより、その内部で洗浄液を循環させて洗浄することができるようにしてある。
すなわち上記第１洗浄液循環経路は、循環通路３８、給液回路２５を構成する水供給通路２６、透析液供給手段１７を構成する透析液チャンバ２１、２２の供給室２１ａ、２２ａ、透析液供給通路２３、コネクタ２３ａ、２４ａとバイパス通路３１、透析液回収通路２４と分岐通路３２、透析液回収手段１６を構成する透析液チャンバ２１、２２の透析液回収室２１ｂ、２２ｂ、除水通路３５及び排液通路２９によって構成されている。
そして上記循環通路３８と排液通路２９との接続点Ｘ１は、排液通路２９と除水通路３５との接続点よりも下流側に設けてあり、この接続点Ｘ１よりも下流側の排液通路２９に開閉弁Ｖ３５を、また循環通路３８に開閉弁Ｖ３４を設けてある。
【００１９】
上記透析液回収通路２４に第１洗浄液供給通路４１の一端を接続してあり、この第１洗浄液供給通路４１の他端は洗浄液供給通路４２を介して洗浄液を供給する洗浄液供給手段としての洗浄液タンク４３に接続してある。この洗浄液タンク４３内には濃度の濃い洗浄液の原液が貯溜されている。
上記透析液回収通路２４と第１洗浄液供給通路４１との接続点Ｘ２は、透析液回収通路２４とバイパス通路３１との接続点よりも下流側で、透析液回収通路２４と分岐通路３２との分岐点よりも上流側に設定してある。
また本実施例では、第１洗浄液供給通路４１と洗浄液供給通路４２との接続点Ｘ３に第２洗浄液供給通路４４の一端を接続してあり、この第２洗浄液供給通路４４の他端を上記給液回路２５を構成する水供給通路２６に接続することにより、第１洗浄液供給通路４１と第２洗浄液供給通路４４とによって、閉回路となる第２洗浄液循環経路を構成することができるようにしてある。
すなわち上記第２洗浄液循環経路は、第２洗浄液供給通路４４、給液回路２５を構成する水供給通路２６、透析液供給手段１７を構成する透析液チャンバ２１、２２の供給室２１ａ、２２ａ、透析液供給通路２３、コネクタ２３ａ、２４ａとバイパス通路３１、透析液回収通路２４及び第１洗浄液供給通路４１によって構成されている。
【００２０】
以下、上記構成を有する血液透析装置１の洗浄時の作動について説明する。
透析治療が終了すると、透析器２から透析液供給通路２３と透析液回収通路２４とを離脱させて、これらをコネクタ２３ａ、２４ａによって相互に接続する。この状態で図示しない制御手段によりポンプＰ１、Ｐ２、ＵＦＰが所要のタイミングで起動されるとともに所要の弁が開閉作動されて、上述した第１洗浄液循環経路と第２洗浄液循環経路の内部に浄水が導入される。なお、透析回路４の洗浄の際には透析液原液通路２７Ａ、２７Ｂの洗浄も行われるが、これらが洗浄されることは従来既に周知であるので、その説明は省略する。
また洗浄液は、上記洗浄液タンク４３から洗浄液供給通路４２の上記接続点Ｘ３に設けた開閉弁Ｖ１２まで導入されており、該開閉弁Ｖ１２を開くことによって直ちに洗浄液を第２洗浄液循環経路内に導入できるようにしてある。
そして本実施例では、第１洗浄液循環経路と第２洗浄液循環経路内に例えば３８０ｍｌの洗浄液を導入してその内部の浄水と撹拌することにより、所定の濃度の透析液が得られるものとする。また上記第１、第２透析液チャンバ２１、２２の各供給室２１ａ、２２ａの最大容積はそれぞれ１００ｍｌとしてあり、これらによって３００ｍｌの洗浄液を洗浄液循環経路内に導入し、また除水ポンプＵＦＰによって残りの８０ｍｌの洗浄液を洗浄液循環経路内に導入するようにしている。
【００２１】
上記両洗浄液循環経路内に浄水が導入された状態では、上記第１、第２透析液チャンバ２１、２２の隔壁は図１の右方に移動しており、それによって各供給室２１ａ、２２ａの容積は０、各透析液回収室２１ｂ、２２ｂの容積は最大の１００ｍｌとなっている。
最初の洗浄液の導入開始時には、制御手段により所要の弁の開放作動が行われる。すなわち図２に示すように、洗浄液供給通路４２の弁Ｖ５６、上記接続点Ｘ３に設けた開閉弁Ｖ１２、第２洗浄液供給通路４４に設けた弁ＮＶ６、Ｖ１０、給液回路２５の弁Ｖ５ａ、Ｖ７ａ、排液通路２９の弁Ｖ６ｂ、Ｖ８ｂ、Ｖ３５が開放される。その他の弁は全て閉じている。この状態では、上記排液通路２９の弁Ｖ３５が開放されているので、上記第１洗浄液循環経路と第２洗浄液循環経路とのいずれも密閉された閉回路を構成してはおらず、したがって洗浄液循環経路は形成されていない。
この状態でポンプＰ１が起動されると、上記接続点Ｘ３に設けた開閉弁Ｖ１２まで導入されていた洗浄液が第２洗浄液供給通路４４と給液回路２５を介して上記透析液チャンバ２１、２２のそれぞれの供給室２１ａ、２２ａ内に導入され、これと同時に透析液回収室２１ｂ、２２ｂ内の液体が排液通路２９を介して外部に排出される。
上記供給室２１ａ、２２ａ内の容積が最大の１００ｍｌとなれば、それ以上の洗浄液が洗浄液供給通路４２から第２洗浄液供給通路４４内に導入されることはなく、したがってこの状態では、上記第２洗浄液供給通路４４の接続点Ｘ３から各供給室２１ａ、２２ａにかけて、合計２００ｍｌの洗浄液が導入されたことになる。
【００２２】
上記供給室２１ａ、２２ａ内の容積が最大なると、上記ポンプＰ１が停止されるとともに全ての弁が閉じられる。次に、図３に示すように、透析液供給通路２３の弁Ｖ５ｂ、Ｖ７ｂ、Ｖ９ｂ、透析液回収通路２４の弁Ｖ１９、弁Ｖ６ａ、弁Ｖ８ａが開放されるとともに、透析液ポンプＰ２が起動される。この状態では、上記排液通路２９の弁Ｖ３５が閉鎖されているので、上記第１洗浄液循環経路と第２洗浄液循環経路とは閉回路となっており、したがって洗浄液循環経路が形成されている。
そして上記透析液ポンプＰ２が起動されると、上記供給室２１ａ、２２ａ内の液体は透析液供給通路２３および透析液回収通路２４を介して透析液回収室２１ｂ、２２ｂに移動され、各供給室２１ａ、２２ａ内の容積は０となる。
【００２３】
この後、図４に示されている次の工程において、上記透析液供給室２１ａ、２２ａから一方の透析液回収室２１ｂに移動された液体は、透析液排液通路２９を介して外部に排出されるようになる。したがって、上記透析液供給室２１ａ、２２ａ内の液体を透析液回収室２１ｂ内に移動させる際に、該透析液回収室２１ｂ内に洗浄液が導入されてしまうと、該洗浄液は次の工程で外部に排出されてしまうので、所要の濃度の洗浄液が得られないことになる。
しかしながら、上述したように各透析液供給室２１ａ、２２ａ内の容積が０となった際、つまり各透析液回収室２１ｂ、２２ｂが満杯になった際には、各透析液回収室２１ｂ、２２ｂには洗浄液が導入されることはない。
つまり上記透析液供給通路２３や透析液回収通路２４の容量は十分に大きく、特に透析液供給通路２３にカットフィルタＣＦを設ける場合には、該カットフィルタＣＦの容量は大きいので、各透析液供給室２１ａ、２２ａ内の液体が、上述した図３に示す作動によっては透析液回収室２１ｂ、２２ｂに到達することはないのである。
【００２４】
図３に示す作動によって上記各供給室２１ａ、２２ａの容積が０となると、最初の作動と同様な作動が行われるが、今回は１００ｍｌの洗浄液を導入すればよいので、一方の供給室２１ａのみに洗浄液が導入されるようになる。
すなわち図４に示すように、洗浄液供給通路４２の弁Ｖ５６、上記接続点Ｘ３に設けた開閉弁Ｖ１２、第２洗浄液供給通路４４に設けた弁ＮＶ６、Ｖ１０、給液回路２５の弁Ｖ５ａ、排液通路２９の弁Ｖ６ｂ、Ｖ３５が開放される。その他の弁は全て閉じている。
この状態でポンプＰ１が起動されると、上記接続点Ｘ３まで導入されていた洗浄液が再び第２洗浄液供給通路４４と給液回路２５を介して一方の第１透析液チャンバ２１の供給室２１ａ内に導入され、これと同時に透析液回収室２１ｂ内の浄水が排液通路２９を介して外部に排出される。
供給室２１ａ内の容積が最大の１００ｍｌとなれば、それ以上の洗浄液が洗浄液供給通路４２から第２洗浄液供給通路４４内に導入されることはなく、したがってこの状態では、上記第２洗浄液供給通路４４の接続点Ｘ３から供給室２１ａにかけて１００ｍｌの洗浄液が追加導入されたことになり、洗浄液の合計導入量は３００ｍｌとなる。
【００２５】
上記透析液チャンバ２１、２２による計量は１００ｍｌ単位なので、残りの８０ｍｌの洗浄液の導入は透析液チャンバ２１、２２によっては実行することができない。
そこで次に、除水ポンプＵＦＰによって導入量を計量しながら洗浄液を導入することになる。
この際には、図５に示すように、洗浄液供給通路４２の弁Ｖ５６、上記接続点Ｘ３に設けた開閉弁Ｖ１２、排液通路２９の弁Ｖ３５が開放される。その他の弁は全て閉鎖されている。この状態では第１洗浄液循環経路と第２洗浄液循環経路とは閉回路を構成しておらず、環状経路は形成されていない。
この状態で除水ポンプＵＦＰが作動されると、上記接続点Ｘ３に設けた開閉弁Ｖ１２まで導入されていた洗浄液は第１洗浄液供給通路４１、透析液回収通路２４とバイパス通路３２、除水通路３５及び排液通路２９に導入されるようになる。
【００２６】
この際、洗浄液を導入できる最大の洗浄液導入区間は、上記接続点Ｘ３から、第１洗浄液供給通路４１、回収通路２４とバイパス通路３２、除水通路３５及び排液通路２９を介して、排液通路２９と循環通路３８との接続点Ｘ１との間の範囲である。上記接続点Ｘ１を超えた排液通路２９内に洗浄液を導入しても、接続点Ｘ１を超えた排液通路２９内に導入された洗浄液は単に外部に排出されるだけで、実際の洗浄作業には使うことができない。
したがって従来、上記洗浄液導入区間に導入できる洗浄液の導入量を多くするためには、上記接続点Ｘ１を排液通路２９の下流側にずらして洗浄液導入区間の容積を増大させる必要があり、その分、排液通路２９の長さが長くなっていた。
【００２７】
しかるに本実施例では、上記除水ポンプＵＦＰによって計量しながら導入する８０ｍｌの洗浄液を、例えば５０ｍｌと３０ｍｌとの２回に分けて導入するようにしている。
すなわち、除水ポンプＵＦＰによる上述した第１洗浄液導入動作では５０ｍｌの洗浄液が洗浄液導入区間に導入されるようになる。この際の洗浄液は、例えば除水通路３５よりも手前の透析液回収通路２４まで導入されるようになる。
この状態となると、各弁の開閉状態が切換えられ、上記除水ポンプＵＦＰの逆回転により、上記第１洗浄液導入動作によって洗浄液導入区間に導入された洗浄液を、該洗浄液導入区間よりも透析液供給通路２３側の洗浄液循環経路に逆流させる洗浄液逆流動作が行われる。
【００２８】
この洗浄液逆流動作では、図６に示すように、排液通路２９の弁Ｖ８ｂ、バイパス通路３１の弁Ｖ９ａ、供給通路２３の弁Ｖ７ｂが開放される。その他の弁は全て閉鎖される。この際には排液通路２９の弁Ｖ３５が閉鎖されて、上記洗浄液循環経路が形成されている。
この状態となると、上記除水ポンプＵＦＰが逆回転され、第２透析液チャンバ２２の透析液回収室２２ｂ内の浄水が排液通路２９、透析液回収通路２４及び分岐通路３２、バイパス通路３１、供給通路２３を介して第２透析液チャンバ２２の供給室２２ａ内に流動するようになる。これにより、接続点Ｘ２から除水ポンプＵＦＰ側の透析液回収通路２４に導入されていた洗浄液は、上記接続点Ｘ２を超えて、上記洗浄液導入区間よりも透析液供給通路側の洗浄液循環経路であるバイパス通路３１および供給通路２３側に逆流されるようになる。
上記除水ポンプＵＦＰにより、少なくとも透析液回収室２２ｂ内の５０ｍｌの浄水を逆流させれば、上記接続点Ｘ２よりも洗浄液導入区間側の洗浄液は全て上記バイパス通路３１および供給通路２３側に排出されるようになる。
【００２９】
この状態となると、上記第１洗浄液導入動作と同様な第２洗浄液導入動作が実行されるが（図５参照）、この第２洗浄液導入動作では、除水ポンプＵＦＰにより３０ｍｌの洗浄液が洗浄液導入区間に導入されるようになる。これにより、両洗浄液循環経路には合計３８０ｍｌの洗浄液が導入されたことになる。
この後の洗浄工程は従来の洗浄工程と異なることはなく、両洗浄液循環経路が交互に形成されて各洗浄液循環経路内で浄水と洗浄液とが流通されて撹拌混合され、所要の濃度の洗浄液となって各部の洗浄が行われる。
このように本実施例では、洗浄液導入区間に導入した洗浄液を該洗浄液導入区間よりも透析液供給通路２３側の洗浄液循環経路に逆流させて浄水に置換した後に、再び洗浄液導入区間に洗浄液を追加導入することができるので、洗浄液導入区間を長くすることなくその容積以上の洗浄液を洗浄液循環経路内に導入することができる。
【００３０】
なお、上記実施例では第２洗浄液供給通路４４を設けて洗浄液タンク４３からの洗浄液を透析液供給室２１ａ、２２ａに供給することにより、迅速に透析液を洗浄液循環経路内に導入できるようにしているが、これに限定されるものではなく、第２洗浄液供給通路４４を省略して除水ポンプＵＦＰによって洗浄液を計量しながら洗浄液循環通路内に導入するようにしてもよい。但しこの場合には、洗浄液を導入できる最大の洗浄液導入区間は、第１洗浄液供給通路４１と透析液回収通路２４との接続点Ｘ２から、回収通路２４とバイパス通路３２、除水通路３５及び排液通路２９を介して、排液通路２９と循環通路３８との接続点Ｘ１との間の範囲となる。
また上記実施例では除水手段として正逆転可能な除水ポンプＵＦＰを用いているが、これに限定されるものではなく、一方向に回転可能な除水ポンプＵＦＰと流路を切換えられる回路とによって除水手段を構成してもよい。
さらに上記実施例では透析液供給手段１５と透析液回収手段１６とを透析液チャンバ２１、２２の供給室２１ａ、２２ａと回収室２１ｂ、２２ｂとによって構成しているが、これに限定されるものではない。所定量の新鮮な透析液を透析器に供給することができるとともに、上記所定量と同量の使用済み透析液を回収することができれば、如何なる構成の透析液供給手段と透析液回収手段とであってもよい。
【符号の説明】
【００３１】
１  血液透析装置                  ２  透析器
１５  透析液供給手段              １６  透析液回収手段
２１  第１透析液チャンバ          ２２  第２透析液チャンバ
２１ａ、２２ａ  透析液供給室      ２１ｂ、２２ｂ  透析液回収室
２３  透析液供給通路              ２４  透析液回収通路
２５  給液回路                    ２６  水供給通路
２９  排液通路                    ３５  除水通路
３８  循環通路                    ４１  第１洗浄液供給通路
４２  洗浄液通路                  ４３  洗浄液タンク
４４  第２洗浄液供給通路          ＵＰＦ  除水ポンプ
【図１】
2015159994.tif 000003
【図２】
2015159994.tif 000004
【図３】
2015159994.tif 000005
【図４】
2015159994.tif 000006
【図５】
2015159994.tif 000007
【図６】
2015159994.tif 000008